(57)【要約】      （修正有）【課題】注出口の部分を直接指先で持つことなしに、収納物注出路の折り曲げができ、且つ、収納物注出路の折り曲げ状態を維持でき、汚れることなく、簡単な操作で再封が繰り返し行なえる包装袋を提供する。【解決手段】包装袋１の上部に、注出口が設けられ、天シール部８の注出口近傍に天係合部２１が形成され、サイドシール部１３のいずれか一方に、天係合部２１と係合可能な側部係合部３１が形成され、天係合部２１を側部係合部３１に向かって折り返したときに、注出口も追随して折り返されて、天係合部２１と側部係合部３１とが係合されることで、折り返された状態が保持されることを特徴とする包装袋１。【選択図】図１
2016069061.tif 000002
【特許請求の範囲】
【請求項１】
対向配置された正面シートと背面シートとを有し、前記正面シートと前記背面シートとの、両サイドをシールしたサイドシール部と、底部をシールした底シール部と、天部をシールした天シール部とが形成され、前記正面シートと前記背面シートとの間に収納部が設けられている包装袋であって、
前記包装袋の上部に、注出口が設けられ、
前記天シール部の前記注出口近傍に天係合部が形成され、
前記サイドシール部のいずれか一方に、前記天係合部と係合可能な側部係合部が形成され、
前記天係合部を前記側部係合部に向かって折り返したときに、前記注出口も追随して折り返されて、前記天係合部と前記側部係合部とが係合されることで、折り返された状態が保持されることを特徴とする包装袋。
【請求項２】
前記注出口が、前記一方のサイドシール側に形成され、
前記側部係合部は、前記注出口が設けられている側の一方のサイドシール側とは反対となる他方のサイドシール部側に設けられていることを特徴とする請求項１に記載の包装袋。
【請求項３】
前記天係合部は、凸形状からなる事を特徴とする請求項１または２に記載の包装袋。
【請求項４】
前記天係合部は、少なくとも切込み部又は溝部のいずれかを有することを特徴とする請求項１から３のいずれか１項に記載の包装袋。
【請求項５】
前記天係合部は、円弧形状、多角形型形状、鉤型形状、オーバル型形状、アロー型形状、のいずれかであることを特徴とする
請求項１から４のいずれか１項に記載の包装袋。
【請求項６】
前記側部係合部は、前記注出口が設けられている側の一方のサイドシール側とは反対となる他方のサイドシール部に形成された切り欠け、切目線、貫通孔、のいずれかからなることを特徴とする請求項１から５のいずれか１項に記載の包装袋。
【請求項７】
前記包装袋が、スタンディング袋であることを特徴とする請求項１から６のいずれか１項に記載の包装袋。
【発明の詳細な説明】
【技術分野】
【０００１】
本発明は、洗剤などの液体や、調味料、インスタントコーヒーなどの粉体を収納するための包装袋であり、注出口の開封後にも簡単に再封して収納物の漏れ出しを防止できるようにした包装袋に関するものである。
【背景技術】
【０００２】
従来から柔軟なシートを包材として用いた包装袋としては、背貼りされた胴部の袋上部と袋底部とをシールしたピロー包装、シートを二つ折りして正面シートと背面シートとを重ね合わせて対向させ、シート折り曲げ辺とは反対側でシールするとともに、袋上部と袋下部とをシールした三方シール包装、別成形された正面シートと背面シートとを重ね合わせて対向させ、左右の袋側部、袋上部、袋下部との四辺の部分をシールした四方シール包装などの各種のタイプがある。
【０００３】
これらの包装形態の包装袋の内、洗剤などの液体、調味料、インスタントコーヒーなどの粉体が充填包装され、使用に際しては袋の上部隅部などを切断して開いた注出口から収納物を注出する用途に、三方シールや四方シールをした包装袋がよく利用されている。そして、三方シールや四方シールして正面シートと背面シートとの間に収納部を形成した包装袋に対し、上部隅部に開口した注出口から収容物全てを注出せずに収納部に幾分かの収納物を残した場合に、簡単に再封して収納物が漏れ出ないようにしたいとの要望があった。
【０００４】
この要望を解決するための包装袋には複数の提案がある。その一つとして特許文献１に示されていて、この特許文献１では、袋上部の一部分を袋上方に伸ばした延設部の内側に直線状の収納物注出路を設けてその先端部を開封予定部とし、さらに延設部の側方となる袋上部や収納部中央部にスリットを開口している。そして、延設部における先端部の開封予定部の位置で切断を行なって収納物注出路を開封した後、延設部を前記スリット側に向けて基端で折り曲げながらそのスリットに通すことで、収納物注出路が折り曲げ位置で閉塞されるようにしている。
【０００５】
また別の提案として、袋上部における上部シール辺部に沿って袋幅方向を通路方向として一方の袋側部側に延びる収納物注出路を配している包装袋が特許文献２に示されている。そして、この特許文献２の包装袋においては、収納物注出路の延設方向とは反対側となる袋上部の一隅にスリットが入れられているとともに、収納物注出路の下部に薄板状のシール面板部を設けて、このシール面板部に収納物注出路の先端部側から収納物注出路の基端側に亘る不連続な易切断線が入れられていて、注出口を形成した収納物注出路を再封するときには、易切断線を切断して収納物注出路がある部分を注出路基端で折り返して、開封した注出口側を前記スリットに差し入れて係合させ、収納物注出路の折り曲げで閉塞を行なうものであった。
【先行技術文献】
【特許文献】
【０００６】
【特許文献１】特開平０５−１７８３５６号公報
【特許文献２】特開２０１３−２２４１６７号公報
【発明の概要】
【発明が解決しようとする課題】
【０００７】
しかしながら重ね合わせたシートの対向する辺同士をシールしてなる包装袋は、切断して形成された注出口から液体を注出した後にその注出口に収納物の一部が残って付着したままとなり易い。そして、上述した特許文献１や２で示された包装袋では、収納物注出路の前記注出口側となる部分を指先などで持ちながらこれをスリットに差し入れる操作を行なうため、前記注出口に残っていた液体が指先に付いて指先を汚してしまうとともに、注出口の部分を抜き差しするスリット側にも液体が付いて汚れとなってしまう。
【０００８】
そこで本発明は上記事情に鑑み、開口された注出口の部分を直接指先で持つことなしに収納物注出路の部分の折り曲げができるとともに、注出口を包装袋に形成したスリット等の差し込み部分等に係合させなくても、収納物注出路の折り曲げ状態を維持できるようにすることを課題とし、汚れることなく簡単な操作で再封が繰り返し行なえる包装袋を得ることを目的とするものである。
【課題を解決するための手段】
【０００９】
本発明は上記課題を考慮してなされたもので、請求項１に記載の発明は、対向配置された正面シートと背面シートとを有し、正面シートと背面シートとの、両サイドをシールしたサイドシール部と、底部をシールした底シール部と、天部をシールした天シール部とが形成され、前記正面シートと前記背面シートとの間に収納部が設けられている包装袋であって、包装袋の上部に、注出口が設けられ、天シール部の注出口近傍に天係合部が形成され、サイドシール部のいずれか一方に、天係合部と係合可能な側部係合部が形成され、天係合部を側部係合部に向かって折り返したときに、注出口も追随して折り返されて、天係合部と側部係合部とが係合されることで、折り返された状態が保持されることを特徴とする包装袋である。
【００１０】
請求項２に記載の発明は、注出口が、一方のサイドシール側に形成され、前記側部係合部は、注出口が設けられている側の一方のサイドシール側とは反対となる他方のサイドシール部側に設けられていることを特徴とする請求項１に記載の包装袋である。
【００１１】
請求項３に記載の発明は、天係合部が、凸形状からなる事を特徴とする請求項１または２に記載の包装袋である。
【００１２】
請求項４に記載の発明は、天係合部は、少なくとも切込み部又は溝部のいずれかを有することを特徴とする請求項１から３のいずれか１項に記載の包装袋である。
【００１３】
請求項５に記載の発明は、天係合部が、円弧形状、多角形型形状、鉤型形状、オーバル型形状、アロー型形状、のいずれかであることを特徴とする請求項１から４のいずれか１項に記載の包装袋である。
【００１４】
請求項６に記載の発明は、側部係合部は、注出口が設けられている側の一方のサイドシール側とは反対となる他方のサイドシール部に形成された切り欠け、切目線、貫通孔、のいずれかからなることを特徴とする請求項１から５のいずれか１項に記載の包装袋である。
【００１５】
請求項７に記載の発明は、包装袋が、スタンディング袋であることを特徴とする請求項１から６のいずれか１項に記載の包装袋である。
【発明の効果】
【００１６】
請求項１の発明によれば、注出口近辺の天係合部を摘み、側部係合部に向かって折り返す事で、注出口も天係合部の折り返しと追随して折り返される為、注出口の部分を直接指先で持って折曲げる必要がなく、液体や粉体等の内容物を注出した後に注出口に残る内容物が指に付着するという従来の不具合が生じない。さらに、天係合部を側部係合部で係合する事で、包装袋が折り返された状態で保持され、しっかりと再封することができる。さらに、天係合部を係合させる係合部が側部に形成されている事により、簡易に天係合部を折り返す事が可能であるだけではなく、残存する内容物の容量によって係合させる側部係合部の高さ方向の位置を調整する事ができる。
【００１７】
請求項２の発明によれば、側部係合部が、注出口が設けられている側のサイドシールと対向するサイドシール側に設けられていることから、天係合部を側部係合部に向かって折り返して天係合部と側部係合部を係合した際に、注出口も天係合部の折り返しと追随して折り返されるため、注出口が側部係合部方向、つまり水平方向に向かって開口された状態を保持する事ができる。そのため、注出口付近に内容物が残っている場合であっても、内容物が容器を置いた面に垂れ落ちることを防止できるようになる。
【００１８】
請求項３の発明によれば、天係合部の形状を凸形状にする事により、天係合部の凸部を側部係合部にひっかける、または挿入する事で容易に側部係合部に係合する事ができる。
【００１９】
請求項４の発明によれば、天係合部の一部に切り込みや溝部を有する事により、天係合部の凸部を側部係合部に係合する際に、切り込み部が側部係合部にひっかかりやすくなる為、より安定して係合することができるようになる。
【００２０】
請求項５の発明によれば、天係合部の凸形状の一部に円弧形状、多角形型形状、鉤型形状、オーバル型形状、アロー型形状、のいずれかを含む事により、天係合部を指でつまみやすく、簡易に側部係合部に係合する事ができる。さらに、天係合部の形状が円弧形状やオーバル型形状等の形状の場合、角で手指を切るなどのおそれもなくハンドリング性に優れた包材を提供する事もできる。さらに、鉤形状の場合は、凸形状自体に切り込みが入っている為、側部係合部に係合する際に切込部を介して側部係合部にひっかかりやすくなる為、より安定して係合することができるようになる。
【００２１】
請求項６の発明によれば、側部係合部が切り欠け、切目線、貫通孔、のいずれかであることで、天係合部の係合片を側部係合部の切り欠け、切目線、貫通孔にひっかける事で容易に係合することができ、安定した係合力を得ることができる。特に側部係合部が貫通孔の場合には、天係合部の係合片を側部係合部の貫通孔に挿入する事ができる為、より容易に係合する事ができ、安定した係合力を得ることができる。
【００２２】
請求項７の発明によれば、包装袋が、スタンディング袋であることにより、自立可能な容器であるため、再封された状態で安定した保存できる。
【図面の簡単な説明】
【００２３】
【図１】本発明の再封機能付き軟包装袋の構成の一例を示す模式図。
【図２】本発明の再封機能付き軟包装袋の構成の一例を示す模式正面図。
【図３】本発明の天係合部形状の代表例。
【図４】本発明の天係合部形状の代表例。
【図５】本発明の側部係合部形状の代表例。
【図６】本発明の側部係合部形状の他の一例を示す図。
【図７】本発明の再封機能付き包装袋の再封状態の一例を示す模式図。
【図８】本発明の側部係合部の一例。
【発明を実施するための形態】
【００２４】
以下に、本発明を実施するための最良の形態について具体的に説明する。
【００２５】
図１は、本発明の再封機能付き軟包装袋の構成の一例を示す説明図である。
図中１は包装袋で、正面シート２と背面シート３を重ね合わせて包装袋上部４と左右の包装袋側部５と包装袋底部６との部分で相対する辺同士をシールしてなるものであり、図示した実施の形態にあたっては、それぞれ方形形状とした正面シート２と背面シート３とを重ね合わせて、包装袋上部４と包装袋側部５との部分で直接対向する辺同士をシールしているとともに、包装袋底部６側で二つ折りした前記底面シート７を介在させた状態にして正面シート２と背面シート３と重ね合わせし、包装袋側部５の包装袋底部側６となる部分および包装袋底部６の部分で直接対向する辺同士をシールしており、底面シート７を開くようにすることで正面シート３の下辺と背面シート３の下辺との間が広がって包装袋底部が展開された状態となり、これによって自立できる容器となるものである。即ち、収納物が充填されることで包装袋底部が前述したように展開して自立するスタンディングパウチタイプの容器としている。
【００２６】
（注出口）
包装袋上部４には、天シール８部とともに、内容物を注ぎ出すための注出口９が形成されている。注出口９は収納部に連続していて、この収納部から包装袋上部４に向けて延設されたものである。注出口９の先端は注出口先端シール部１０および、注出口サイドシール部１１によってシールされており、開封予定線１２に沿って切り離すことにより注出口９を形成する。  図示されているように前記注出口９は収納部の上部を上方に延設しながら上方に向けて凸の略尖頭形状に先細りにされ、かつ一方の包装袋側部に偏倚しており、正面視の状態で略三角形に形成されている。
【００２７】
上記開封予定線１２は注出口９の先端部分を注出口９が形成されている側のシール部から流出口サイドシール部１１まで袋幅方向に横切る印刷支持線などとして示されている。また、この開封予定線１２については手操作での切断が行い易いように、正面シート２と背面シート３との表面側、あるいは一方のシートの表面側にレーザー照射によるハーフカットを施すことも可能であるがこれに限定されるものではない。
【００２８】
（天係合部）
天係合部２１は、流出口９に近接する位置で、且つ天シール部８から連続して形成されている。この天係合部２１は図示されているように、注出口サイドシール部１１の注出口先端シール部１０の反対側、つまり注出口サイドシール部１１の収容部側である注出口サイドシール部の下端部１４、から天シール部８に向かって延設されてなる天係合部サイドシール部２２より流出口９側に向かって凸形状にて、薄板状に形成されており、図２の天係合部は略円弧形状にて形成されている。天係合部は、包装袋の全部または一部がシールされた状態で形成されているため、腰が強くなり、係合が外れにくくなっている。
【００２９】
天係合部２１は側部係合部３１に引っ掛けたり、挿入する事で側部係合部３１と係合できればよく、上述した略円弧形状に限られるものではない。また、天係合部２１の一部に切り込みや溝部を有する事により、さらに天係合部を側部係合部に係合しやすくなる。例えば、図３(ａ)は天係合部が略円弧形状の場合の実施の形態の一例であるが、（ａ）−１に図示するように、天係合部サイドシール部２２より円弧形状の凸形状部４３を有しているだけでもよく、（ａ）−２に図示するように、天係合部サイドシール部２２と円弧形状の凸形状部４３の間に切り込み４１を有する形状でもよく、（ａ）−３に図示するように、天係合部サイドシール部２２と円弧形状の凸形状部４３の間に溝部４２を有する形状でもよく、（ａ）−４に図示するように、天係合部サイドシール部２２と円弧形状の凸形状部４３の間に切り込み４１及び溝部４２を有する形状であってもよい。
【００３０】
さらに図３（ｂ）−１から図３（ｂ）−４は天係合部の形状の別の実施の形態である三角形形状の天係合部について切り込み部や溝部を有する形状を図示したものである。（ｂ）−１は、天係合部サイドシール部２２より三角形形状の凸形状部４４を有する天係合部の形状、（ｂ）−２は、天係合部サイドシール部２２と三角形形状の凸形状部４４の間に切り込み４１を有する天係合部の形状、（ｂ）−３は、天係合部サイドシール部２２と三角形形状の凸形状部４４の間に溝部４３を有する天係合部の形状、（ｂ）−４は天係合部サイドシール部２２と三角形形状の凸形状部４４の間に切り込み４１及び溝部４３を有する天係合部の形状である。
【００３１】
さらに、天係合部の形状は上記形状以外にも、図４に示すように、四角形形状、五角形形状等の多角形形状でもよく、ドーナツ型、星型、鉤型形状等、これに限ることなく係合可能な形状を設けることができる。
【００３２】
（側部係合部）
側部係合部３１は、サイドシール部１３の上下中間部に一つ又は複数個形成されており、図５（ａ）−１から（ａ）−６に示すような切り欠き３２、切れ目線３３や図５（ｂ）−１から（ｂ）−６に示すような貫通孔３４等、天係合部２１が係合可能な形状であればよい。側部係合部３１の形状が切り欠き、切れ目線の場合には、天係合部２１をこの切り欠け部にひっかける事で係合させることができる。また、側部係合部３１がサイドシール部１３を貫通させた形状の場合には、天係合部２１を側部係合部３１に差し込む事で係合させることができる。
【００３３】
側部係合部３１の形状は、図２ではサイドシール部１３に貫通させた細長いアロー形状の貫通孔を設けているが、その他の側部係合部の形状の例として図５に例示している。側部係合部３１は上述のとおり天係合部２１を係合することができればよいため、図５に例示されている形状に限ることはない。さらに、天係合部２１の形状によっては、側部係合部３１に切り欠きや貫通孔等を設けることなく、サイドシール外縁部自体に直接天係合部を係合させてもよい。
【００３４】
側部係合部の他の実施形態としては、係合部を形成するサイドシール部１３に未シール部を設け、未シール部の正面シートまたは背面シートのいずれか一方のシートのみに切目線を形成し、天係合部を切目線に差し込む事で、係合したときに、天係合部が未シール部の正面シートと背面シートの間に差し込まれる事で天係合部と側部係合部を係合させることもできる。
【００３５】
側部係合部３１を形成するサイドシール部１３は、図６に示すように部分的に幅広にした幅広シール部３５を設けてもよい。部分的にサイドシール部１３の幅を幅広にすることにより、側部係合部３１を形成する場合の製造が容易になり、仮に側部係合部３１の切り欠きや貫通孔等の位置がずれた場合でも、収容部側に切り欠きや貫通孔が設けられる事がなくなり、収容部に切り込みが入る等の不良品の発生を防止する事が可能になる。
【００３６】
（係合状態）
図７は天係合部２１と側部係合部３１が係合されている状態を示す図である。注出口９近辺に形成されている天係合部２１を指で摘み、側部係合部３１に向かって折り返す事で、注出口９も天係合部２１の折り返しと追随して折り返される為、注出口９の部分を直接指先で持って折曲げる必要がなく、液体や粉体等の内容物を注出した後に注出口９に残る内容物が指に付着するという従来の不具合が生じない。さらに、天係合部２１を側部係合部３１で係合する事で、包装袋が折り返された図７に示すような状態で保持され、しっかりと再封することができる。
【００３７】
さらに、天係合部２１を係合させる側部係合部３１がサイドシール部１３に形成されている事により、簡易に天係合部２１を折り返す事が可能であるだけではなく、例えば図８に示すように側部係合部３１をサイドシール部１３の複数個所に設けることにより、残存する内容物の容量によって係合させる側部係合部３１の高さ方向の位置を調整する事ができる。
【００３８】
さらに、側部係合部３１が、注出口９が設けられている側のサイドシール部と対向するサイドシール側に設けられることにより、天係合部２１を側部係合部３１に向かって折り返して天係合部２１と側部係合部３１を係合した際に、注出口９も天係合部２１の折り返しと追随して折り返されるため、注出口９が側部係合部方向、つまり水平方向に向かって開口された状態を保持する事ができる。そのため、注出口９付近に内容物が残っている場合であっても、内容物が容器を置いた面に垂れ落ちることを防止できるようになる。
【符号の説明】
【００３９】
１・・・・包装袋
２・・・・正面シート
３・・・・背面シート
４・・・・包装袋上部
５・・・・包装袋側部
６・・・・包装袋底部
７・・・・底面シート
８・・・・天シール部
９・・・・注出口
１０・・・注出口先端シール部
１１・・・注出口サイドシール部
１２・・・開封予定線
１３・・・サイドシール部
１４・・・注出口サイドシール部の下端側
２１・・・天係合部
２２・・・天係合部サイドシール部
３１・・・側部係合部
３２・・・切り欠き
３３・・・切れ目線
３４・・・貫通孔
３５・・・幅広シール部
４１・・・切り込み
４２・・・溝部
４３・・・円弧形状の凸部形状部
４４・・・三角形形状の凸部形状部
【図１】
2016069061.tif 000003
【図２】
2016069061.tif 000004
【図３】
2016069061.tif 000005
【図４】
2016069061.tif 000006
【図５】
2016069061.tif 000007
【図６】
2016069061.tif 000008
【図７】
2016069061.tif 000009
【図８】
2016069061.tif 000010